(57)【要約】【課題】  カバーオール状に形成されたときにクロッチ部分にマチ部を備えることなく着用者の臀部をゆったりと布地領域を確保可能なドレスオールの提供。【解決手段】  留め具の付け替えによって、衣服形態をカバーオール形状に変更可能な形状変更構造を備えるドレスオールであって、前記ドレスオールは前身頃と後身頃からなり、着用者の腰部付近から下方の後身頃が前記前身頃よりも広く形成され、前記後身頃の臀部にマチ部を備えないことを特徴とするマチなしドレスオールである。【選択図】  図１
2006193879.tif 000002
【特許請求の範囲】
【請求項１】
留め具の付け替えによって、衣服形態をカバーオール形状に変更可能な形状変更構造を備えるドレスオールであって、
前記ドレスオールは前身頃と後身頃からなり、
着用者の腰部付近から下方の後身頃が前記前身頃よりも広く形成され、前記後身頃の臀部にマチ部を備えないことを特徴とするマチなしドレスオール。
【請求項２】
前記ドレスオール下端において、前記前身頃と前記後身頃の接続部分にのみ弾性体が配され、該弾性体が前記接続部分を収縮させることを特徴とする請求項１に記載のマチなしドレスオール。
【請求項３】
前記形状変更構造が、
前記前身頃を構成する第１片と第２片と、
前記第１片と前記第２片が重なる合せ縁と、
前記合せ縁に沿って配設されるとともに前記第１片と前記第２片の縁部の合せ状態を固定する第１留め具と、
前記後身頃下縁に沿って配設されるとともに前記第１留め具と係合可能な第２留め具とからなり、
前記合せ縁は、着用者の胸部左側或いは右側を上から下へ通過する第１領域と、該第１領域下端と連続するとともに前記ドレスオール中心に向かって斜め下方に通過する第２領域を備えることを特徴とする請求項１記載のマチなしドレスオール。
【請求項４】
前記後身頃が、該後身頃下縁から下方に突出する舌布と、前記後身頃裏地側下縁に沿って配設される被覆布を備え、
前記形状変更構造が、
前記前身頃を構成する第１片と第２片と、
前記第１片と第２片が重なる合せ縁と、
前記合せ縁に沿って配設されるとともに前記第１片と第２片の縁部の合せ状態を固定する第１留め具と、
前記舌布横方向に並べて配設されるとともに前記第１留め具と係合可能な第２留め具とからなり、
前記合せ縁は、着用者の胸部左側或いは右側を上から下へ通過する第１領域と、該第１領域下端と連続するとともに前記ドレスオール中心に向かって斜め下方に通過する第２領域を備え、
前記舌布は、前記後身頃下縁に沿って折り曲げられたときに、前記被覆布と前記後身頃裏地側との間に形成される空間内に収容され、
前記第２留め具が前記被覆布に取付けられた第３留め具と係合することにより前記舌布が前記被覆布と前記後身頃裏地側との間に形成される空間内で保持されることを特徴とする請求項１記載のマチなしドレスオール。
【請求項５】
前記被覆布内部にクッション材が配されることを特徴とする請求項４記載のマチなしドレスオール。
【請求項６】
前記第２領域下端と連続するとともに前記ドレスオール中心に沿って下方へ向かって通過する第３領域を更に備え、
前記第２留め具が前記第３領域に配される第１留め具と係合することを特徴とする請求項３又は４記載のマチなしドレスオール。
【請求項７】
前記第３領域に配される第１留め具が他の領域に配設される第１留め具とは、異なる形状、色彩或いは大きさを備えることを特徴とする請求項６記載のマチなしドレスオール。
【請求項８】
前記第３領域に配される第１留め具がそれぞれ異なる形状、色彩或いは大きさを備え、
前記第２留め具が前記第３領域に配される第１留め具と対応する形状、色彩或いは大きさを備えることを特徴とする請求項６記載のマチなしドレスオール。
【発明の詳細な説明】
【技術分野】
【０００１】
本発明は、留め具の付け替えによって、衣服形態をカバーオール形状に変更可能なドレスオールに関し、より詳しくは、後身頃の臀部にマチ部を備えることなく着用者の臀部をゆったりと確保可能なドレスオールに関する。
【背景技術】
【０００２】
乳幼児の衣類においては、衣類に設けられた留め具によって、乳幼児への着衣及び脱衣を容易にする形態が多く提案されている。
その典型的な例として、例えば特許文献１に開示されるカバーオールが挙げられる。
【０００３】
【特許文献１】特開２０００−３２８３０６号公報
【０００４】
図１１は特許文献１のカバーオールを示す。
特許文献１に示されるカバーオール（Ｗ）は、主に前身頃（Ｆ）と後身頃（Ｂ）からなり、前身頃（Ｆ）は第１片（Ｐ１）と第２片（Ｐ２）から形成されている。第１片（Ｐ１）と第２片（Ｐ２）はカバーオール（Ｗ）の略中心軸上で互いの縁が重なり合う。
第１片（Ｐ１）と第２片（Ｐ２）とが重なり合う合せ縁（Ｅ）に沿って、複数の第１留め具（Ｓ１）が配設され、第１片（Ｐ１）側の第１留め具（Ｓ１）と第２片（Ｐ２）側の第１留め具（Ｓ１）とが係合することで、カバーオール（Ｗ）の前身頃が閉じられる。
後身頃（Ｂ）外面側下端部には複数の第２留め具（Ｓ２）が配列される。第２留め具（Ｓ２）は、第１片（Ｐ１）並びに第２片（Ｐ２）に配される第１留め具（Ｓ１）とそれぞれ係合可能であり、第２留め具（Ｓ２）と第１留め具（Ｓ１）との係合によって、カバーオール（Ｗ）下側左右に、着用者の脚部が挿通可能な脚筒部分が形成される。
図１１において、点線で示される領域は、マチ部（Ｍ）であり、着用者の臀部をゆったり覆うための布地領域となる。
【０００５】
以上のような構成を備えるカバーオール（Ｗ）は、まず第１片（Ｐ１）と第２片（Ｐ２）とを左右に開いた状態で容易に乳幼児の腕を袖に通すことが可能である。乳幼児の腕を袖に通した後、カバーオール（Ｗ）の上側から第１留め具（Ｓ１）同士を係合させ、乳幼児の上半身にカバーオール（Ｗ）を纏わせることができる。この後、第２留め具（Ｓ２）とカバーオール（Ｗ）下側に配列される第１留め具（Ｓ１）とを接続させ、脚筒部分を形成する。脚筒部分には、乳幼児の脚部がある。このように、カバーオール（Ｗ）下側の布地で乳幼児の脚部周囲を囲み、第１留め具（Ｓ１）と第２留め具（Ｓ２）とで固定するので、予め脚筒部分が形成されたズボンのような形態の衣類よりも容易に着衣させることが可能である。また、脚筒部分が形成されたときに、マチ部（Ｍ）は広い布地部分を保証するので乳幼児の臀部が後身頃（Ｂ）によって押圧されることがない。
脱衣時には、第１留め具（Ｓ１）同士及び第１留め具（Ｓ１）と第２留め具（Ｓ２）との係合を解除することによって、容易に脱衣させることができる。
【発明の開示】
【発明が解決しようとする課題】
【０００６】
上記のように、特許文献１に開示されるようなカバーオール（Ｗ）は、着衣・脱衣の面で容易であるという利点を備えるが、以下のような不利益を生ずる。
図１２は、図１１に示すカバーオール（Ｗ）をドレスオール形状に形成して、側方から見た図である。
上記構成のカバーオール（Ｗ）は、第２留め具（Ｓ２）を用いず、第１留め具（Ｓ１）同士をカバーオール（Ｗ）の上から下まで接続させると、ドレスオール形状に形成可能となる。しかしながら、図１２に示す如く、カバーオール（Ｗ）がドレスオール形状に形成されると、マチ部（Ｍ）が後方へ突出することとなる。したがって、マチ部（Ｍ）は、ドレスオールの外観を著しく損なうものとなる。
更には、乳幼児が座ったとき、或いは乳幼児が仰向けに寝たとき、突出したマチ部（Ｍ）は潰れ、布の塊となり、乳幼児の臀部や腰部を押圧するものとなる。このことは、乳幼児に不快感を与え、或いは寝心地を悪くする。結果として、乳幼児が泣き出し、育児の手間を増加させるものとなる。
特にこの問題は、厚手の生地を用いた場合に、顕著となる。
更に従来において、カバーオールからドレスオールへ、その形状を変更可能なカバーオール若しくはドレスオールにおいて、ドレスオール着用時に裾が上方へ、たくし上がることを防止するために、裾の周縁にわたって、弾性体が配されていた。このことは、カバーオールの形態として用いられるとき、脚筒部分下端の開口部を必要以上に収縮させるので、結果として、着用者の脚周りを締め付けることとなり、着心地を損なうものとなっていた。
本発明は上記実情を鑑みてなされたものであって、カバーオール状に形成されたときにクロッチ部分にマチ部を備えることなく着用者の臀部をゆったりと布地領域を確保可能なドレスオールを提供することを目的とする。
更に、カバーオールの形状として用いられるときに、着用者の脚周りを必要以上に締め付けることがないドレスオールを提供することを目的とする。
【課題を解決するための手段】
【０００７】
請求項１記載の発明は、留め具の付け替えによって、衣服形態をカバーオール形状に変更可能な形状変更構造を備えるドレスオールであって、前記ドレスオールは前身頃と後身頃からなり、着用者の腰部付近から下方の後身頃が前記前身頃よりも広く形成され、前記後身頃の臀部にマチ部を備えないことを特徴とするマチなしドレスオールである。
請求項２記載の発明は、前記ドレスオール下端において、前記前身頃と前記後身頃の接続部分にのみ弾性体が配され、該弾性体が前記接続部分を収縮させることを特徴とする請求項１に記載のマチなしドレスオールである。
請求項３記載の発明は、前記形状変更構造が、前記前身頃を構成する第１片と第２片と、前記第１片と前記第２片が重なる合せ縁と、前記合せ縁に沿って配設されるとともに前記第１片と前記第２片の縁部の合せ状態を固定する第１留め具と、前記後身頃下縁に沿って配設されるとともに前記第１留め具と係合可能な第２留め具とからなり、前記合せ縁は、着用者の胸部左側或いは右側を上から下へ通過する第１領域と、該第１領域下端と連続するとともに前記ドレスオール中心に向かって斜め下方に通過する第２領域を備えることを特徴とする請求項１記載のマチなしドレスオールである。
請求項４記載の発明は、前記後身頃が、該後身頃下縁から下方に突出する舌布と、前記後身頃裏地側下縁に沿って配設される被覆布を備え、前記形状変更構造が、前記前身頃を構成する第１片と第２片と、前記第１片と第２片が重なる合せ縁と、前記合せ縁に沿って配設されるとともに前記第１片と第２片の縁部の合せ状態を固定する第１留め具と、前記舌布横方向に並べて配設されるとともに前記第１留め具と係合可能な第２留め具とからなり、前記合せ縁は、着用者の胸部左側或いは右側を上から下へ通過する第１領域と、該第１領域下端と連続するとともに前記ドレスオール中心に向かって斜め下方に通過する第２領域を備え、前記舌布は、前記後身頃下縁に沿って折り曲げられたときに、前記被覆布と前記後身頃裏地側との間に形成される空間内に収容され、前記第２留め具が前記被覆布に取付けられた第３留め具と係合することにより前記舌布が前記被覆布と前記後身頃裏地側との間に形成される空間内で保持されることを特徴とする請求項１記載のマチなしドレスオールである。
請求項５記載の発明は、前記被覆布内部にクッション材が配されることを特徴とする請求項４記載のマチなしドレスオールである。
請求項６記載の発明は、前記第２領域下端と連続するとともに前記ドレスオール中心に沿って下方へ向かって通過する第３領域を更に備え、前記第２留め具が前記第３領域に配される第１留め具と係合することを特徴とする請求項３又は４記載のマチなしドレスオールである。
請求項７記載の発明は、前記第３領域に配される第１留め具が他の領域に配設される第１留め具とは、異なる形状、色彩或いは大きさを備えることを特徴とする請求項６記載のマチなしドレスオールである。
請求項８記載の発明は、前記第３領域に配される第１留め具がそれぞれ異なる形状、色彩或いは大きさを備え、前記第２留め具が前記第３領域に配される第１留め具と対応する形状、色彩或いは大きさを備えることを特徴とする請求項６記載のマチなしドレスオールである。
【発明の効果】
【０００８】
請求項１記載の発明によれば、マチ部を備えないので、ドレスオール形状に形成されたときに、後方に突出する部分がなく、外観の美感を損なうことがない。また、乳幼児が着座したとき或いは仰向けに寝たとき身体を押圧する部分が生じず、常に快適な着心地を提供可能である。
また、着用者の腰部付近から下方の後身頃が前記前身頃よりも広く形成されているので、カバーオール状に形成されたときでも、後身頃の広く形成された布地部分が着用者の臀部のふくらみを覆う分の布地領域を確保可能であり、臀部をゆったりと包み込むことができ、快適な着心地を提供可能である。
請求項２記載の発明によれば、前身頃と後身頃の接続部分にのみ弾性体が配設されているので、カバーオール形状にドレスオールが形成されたときに、脚筒部分下端の開口部が必要以上に収縮することなく、快適な着心地を提供可能となる。
請求項３記載の発明によれば、着用者の胸部に当る合せ縁の第１領域が胸部中心を通らず胸部左側或いは右側を通過するので、着用者がうつ伏せで寝たときに合せ縁の留め具が着用者の胸部中心を押圧することがなく、快適な着心地を提供可能である。
請求項４記載の発明によれば、ドレスオール形状で着用されたときに、第２留め具が着用者の肌を傷つけることや着用者に不快感を与えることを防止できる。
請求項５記載の発明によれば、被覆布内部にクッション材が配されるので、第２留め具が着用者の肌を傷つけることや着用者に不快感を与えることをより確実に防止できる。
請求項６記載の発明によれば、第２領域と第３領域が形成されている角度が異なるので、衣服形態をドレスオール形状からカバーオール形状へ変更或いはその逆に変更するときに、形態変更に必要な留め具のみを外し、又接続させることを確実にする。
請求項７記載の発明によれば、ドレスオール使用者が容易に、カバーオールへの形状変更のために接続解除を要求される第１留め具を視認可能となり、カバーオールへの形状変更に係る作業労力を最小限化できる。
請求項８記載の発明によれば、第１留め具と第２留め具の形状、色彩或いは大きさが対応しているため、カバーオールへの形状変更の際に留め具の掛け違いを防止可能となる。
【発明を実施するための最良の形態】
【０００９】
以下、本発明に係るマチなしドレスオールについて、図面を参照しつつ説明する。図１は、本発明に係るマチなしドレスオールを、正面から見た図である。
本発明に係るドレスオール（１）は、前身頃（２）と後身頃（３）からなる。またドレスオール（１）の肩口部からは左右一対に袖部（４）が延出している。
【００１０】
前身頃（２）は、２枚の布材から形成される。図１中、前身頃（２）左部分を構成する布材が第１片（２１）であり、前身頃（２）右部分を構成する布材が第２片（２２）である。第１片（２１）の右縁部分と第２片（２２）の左縁部分とが重なり合い、合せ縁（２３）を形成している。尚、図１中において、第２片（２２）の左縁は第１片（２１）の右縁の上に配置される。
合せ縁（２３）に沿って、複数の第１留め具（２４）が配列される。第１留め具（２４）は、第１片（２１）及び第２片（２２）上に配置され、対応する第１留め具（２４）同士が係合可能である。第１留め具（２４）の形状は特に限定されないが、図１に示されるものは雌雄の型からなる押圧固定式ボタンである。その他の第１留め具（２４）として、ボタンとボタンホールの組み合わせ、ベルベットファスナ或いはジッパを採用してもよい。
第１留め具（２４）同士を係合することで、第１片（２１）と第２片（２２）の縁部が合わされ、固定される。
【００１１】
合せ縁（２３）は３つの領域から構成され、上から第１領域（２３１）、第２領域（２３２）及び第３領域（２３３）とされる。
第１領域（２３１）は着用者の胸部の左側若しくは右側に位置し、ドレスオール（１）上から下に向かって形成されている。第１領域（２３１）は着用者の肋骨下端より下に当る部分まで延出することが好ましい。このように第１領域（２３１）を左側若しくは右側に配置することにより、着用者がうつ伏せで寝たとき、第１領域（２３１）上に配設される第１留め具（２４）が着用者の胸部を押圧することを防止可能となる。したがって、着用者の快適な着心地を提供可能となる。
第２領域（２３２）上端は、第１領域（２３１）下端と係合し、第２領域（２３２）は下方に向かって、斜めに形成される。第２領域（２３２）の下端は前身頃（２）中心に配置される。第２領域（２３２）は、着用者の腹部から腰部に当る部分に形成される。
第３領域（２３３）上端は、第２領域（２３１）下端と接続し、第３領域（２３３）は前身頃（２）中心に沿って下方に向かって、前身頃（２）下端まで延びている。
このように第２領域（２３２）と第３領域（２３３）が着用者の身体中心付近を横切り、通過するものであっても、この領域では、着用者の身体の骨が第１留め具（２４）に押圧されることがないので、着用者の着心地に悪影響を及ぼすことがない。
【００１２】
ドレスオール（１）下端部において、前身頃（２）と後身頃（３）との接続部分を横切るように弾性体（５）が配設される。弾性体（５）が配された部分において、弾性体（５）は前身頃（２）と後身頃（３）を収縮させる。
弾性体（５）がドレスオール（１）下端を若干収縮させるので、ドレスオール（１）下端が上方へ、たくし上げられることが防止される。弾性体（５）としては、弾性力を備えるものであれば特に限定されるものではないが、ゴムや弾性を備える樹脂などが挙げられる。
【００１３】
図２は、図１に示すドレスオール（１）を背面から見た図である。
図２に示す如く、ドレスオール（１）の後身頃（３）は１枚の布片から形成され、マチ部を備えていない。したがって、図１及び図２に示す形状のドレスオール（１）を着用しても、マチ部が後方に突出することがなく、ドレスオール（１）の外観を損なうことがない。
また、着用者が着座したときや仰向けに寝たときでも、ドレスオール（１）背面は平坦であるので、布片が塊状になることがなく、着用者の腰部や臀部を押圧することがなく、着用者の体勢に関わらず、常に快適な着心地を提供可能である。
【００１４】
図２に示す如く、後身頃（３）下端縁に沿って、第２留め具（３１）が配列される。図２中、６つの第２留め具（３１）が配列され、図１において、合せ縁（２３）の第３領域（２３）上には、４組（第１片（２１）上に４つ、第２片（２２）上に４つ）の第１留め具（２４）が配列されている。
第１片（２１）上の第１留め具（２４）が雌型であり、第２片（２２）上の第１留め具（２４）が雄型であるとき、図２中左側に配置されるとともに白丸で示される３つの第２留め具（３１）は雌型であり、図２中右側に配置されるとともに黒丸で示される３つの第２留め具（３１）は雄型である。第２留め具（３１）は対応する第１留め具（２４）と係合可能に形成される。
詳述すると、図２中符号（３１ａ）で示される第２留め具（３１）は、図１中符号（２４ａ）で示される第１留め具（２４）と係合する。白丸で示される第２留め具（３１ａ）は第２片（２２）側に配される第１留め具（２４ａ）と係合する。また、黒丸で示される第２留め具（３１ａ）は第１片（２１）側に配される第１留め具（２４ａ）と係合する。
同様に、図２中符号（３１ｂ）で示される第２留め具（３１）は、図１中符号（２４ｂ）で示される第１留め具（２４）と係合する。白丸で示される第２留め具（３１ｂ）は第２片（２２）側に配される第１留め具（２４ｂ）と係合する。また、黒丸で示される第２留め具（３１ｂ）は第１片（２１）側に配される第１留め具（２４ｂ）と係合する。
また、図２中符号（３１ｃ）で示される第２留め具（３１）は、図１中符号（２４ｃ）で示される第１留め具（２４）と係合する。白丸で示される第２留め具（３１ｃ）は第２片（２２）側に配される第１留め具（２４ｃ）と係合する。また、黒丸で示される第２留め具（３１ｃ）は第１片（２１）側に配される第１留め具（２４ｃ）と係合する。
【００１５】
図３は、カバーオール形状とされた本発明のドレスオール（１）を正面から見た図である。
上述の如く、第１留め具（２４）と第２留め具（３１）を係合させると、本発明のドレスオール（１）はカバーオールの形態となる。ドレスオール（１）の形状をカバーオールの形状に変更するときには、第３領域（２３３）上端に配される第１留め具（２４）同士を接続状態とし、第３領域（２３３）に配される他の第１留め具（２４）同士の係合を解除して、解除された第１留め具（２４）を第２留め具（３１）にそれぞれ係合させればよい。合せ縁（２３）は、上述の如く、各領域（２３１、２３２、２３３）に角度を変えて形成されているので、使用者は、カバーオールへの形態変更のためにいずれの第１留め具（２４）の係合を解除すればよいか、容易に視認可能であり、カバーオールへの形態変更のための労力が最小限化する。
上記構成に加えて、カバーオールへの形態変更のために解除を要する第１留め具（２４ａ乃至２４ｃ）の形状、色彩或いは大きさを他の第１留め具（２４）と異なるものとしてもよい。このようにすることで、使用者は、接続を解除すべき第１留め具（２４）をより容易に視認可能となる。
更には、係合を解除される第１留め具（２４ａ、２４ｂ、２４ｃ）を互いに異なる形状、色彩或いは大きさとし、対応する第２留め具（３１ａ、３１ｂ、３１ｃ）を第１留め具（２４ａ、２４ｂ、２４ｃ）に合わせた形状、色彩或いは大きさとしてもよい。これにより、第１留め具（２４ａ、２４ｂ、２４ｃ）と第２留め具（３１ａ、３１ｂ、３１ｃ）とを係合させるときに掛け違いを確実に防止できる。
【００１６】
上述の如く、ドレスオール（１）下端において、前身頃（２）と後身頃（３）との接続部分にのみ弾性体（５）が配されている。ドレスオール（１）をカバーオールの形状に変形させたときに形成される脚筒部（６）下端に形成される開口部（６１）の外側縁に弾性体（５）が配されることとなる。
したがって、着用者の脚部が通る脚筒部（６）下端の収縮領域が開口部（６１）の周縁の一部に限定されるため、着用者の脚部を必要以上に締め付けることがなく、快適な着心地を提供可能となる。
【００１７】
図４は、前身頃（２）と後身頃（３）との接続部分の縫製を解除した状態を正面から見た図である。
従来のカバーオールにおいては、前身頃と後身頃は同一形状に形成されていた。このため、従来のカバーオールは着用者の臀部のふくらみをゆったりと覆うためにカバーオールのクロッチ部分に、着用者臀部後方に隆起するマチ部を設け、着用者の臀部のふくらみに対応する布地面積を稼いでいた。
しかしながら、このような従来のマチ部は、上述のようにドレスオールの形態にしたときには、マチ部が後方に突出し、ドレスオールの外観を損なうとともに、着用者が着座したとき或いは仰向けで寝たときには、マチ部の布片が折れ曲がり、布塊となり、該布塊が着用者の臀部や腰部を圧迫し、着心地を損なうものとなっていた。
【００１８】
本発明においては、着用者の腰部に当る部分からドレスオール（１）下端に至るまで、後身頃（３）は前身頃（２）よりも幅広に形成されている（図４中、幅広に形成された部分はハッチングを施された領域である）。この幅広に形成された部分が、着用者の臀部のふくらみに対応する布地領域を確保し、図３に示すようなカバーオールの形態としたときに、ドレスオール（１）が着用者の臀部を窮屈にすることがなく、快適な着心地を提供する。
【００１９】
図５は、本発明のドレスオール（１）をカバーオールの形態とした状態を側方から見た図である。図６は、図１に示すドレスオール（１）を側方から見た図である。
上述の如く、前身頃（２）よりも幅広に形成された後身頃（３）の部分により、図５に示すように、本発明のドレスオール（１）がカバーオールの形態として使用されたときには、使用者の臀部のふくらみに相当する布地面積を十分に確保可能である。
更に、図６に示す如く、ドレスオール（１）として用いたときには、着用者の臀部から突出する部分を生じず、好適な外観を得ることができるとともに、着用者が着座したとき或いは仰向けに寝たときであっても快適な着心地を提供可能である。
特に、厚手の生地が用いられた場合には、ドレスオールの形態で生じるマチ部による上記不利益は大きなものであるが、本発明のように構成されたドレスオールは、そのような不利益を全く生ずることがない。
【００２０】
図７及び図８は、図１に示すドレスオール（１）の応用形態である。図７は、ドレスオールを正面から見た図であり、図８は、ドレスオールを背面から見た図である。
図１のドレスオール（１）は、図６に示すようなドレスオールの形態で着用され、着用者が着座したときには、第２留め具（３１）は着用者の太腿の裏或いは臀部の下に存在することとなる。第２留め具（３１）が、押圧固定式ボタンなど硬い材料からなるものである場合、着用者の太腿或いは臀部に第２留め具（３１）が食い込むこととなり、着用者に不快感を与えることとなる。
【００２１】
上記問題を解決するために、図７及び図８に示すドレスオール（１）は、後身頃（３）下端縁から下方に突出する正面視矩形状の舌布（３２）を備える。舌布（３２）は、後身頃（３）と一体に形成されてもよく、或いは縫製により後身頃（３）に縫着されるものであってもよい。
第２留め具（３１）は、舌布（３２）上に横方向に並べて取付けられる。ドレスオール（１）をカバーオールの形態にするときに、図３に関連して説明した方法と同様の方法で、第２留め具（３１）上に配された第２留め具（３１）は、第１留め具（２４）と係合される。
【００２２】
更に、後身頃（３）の裏地側下縁に沿って、正面視矩形状の被覆布（３３）が配される。被覆布（３３）の下縁は、後身頃（３）の裏地側下縁の輪郭と一致する位置に配される。また、被覆布（３３）の下縁と後身頃（３）の裏地側下縁とは縫着されていない。被覆布（３３）の下縁以外の三辺は、後身頃（３）の裏地面に縫着されている。
被覆布（３３）には、第３留め具（３３１）が配される。
【００２３】
図９は、後身頃（３）の下縁の断面図である。
図９に示す状態において、舌布（３２）は、後身頃（３３）の下縁に沿って折り曲げられている。そして、被覆布（３３）と後身頃（３）との間の空間内に、舌布（３２）が収容されている。この状態において、舌布（３２）上に配された第２留め具（３１）は、被覆布（３３）に取付けられた第３留め具（３３１）と係合可能となる。第２留め具（３１）と第３留め具（３３１）とを係合することによって、舌布（３２）は、折り畳まれた状態で、被覆布（３３）と後身頃（３）との間に形成される空間内で保持される。
図７乃至図９に示す例においては、舌布（３２）上に配された第２留め具（３１）のうち中央の第２留め具（３１）が第３留め具（３３１）と係合しているが、第３留め具（３３１）を被覆布（３３）長手方向端部に配して、舌布（３２）両端部に配される第２留め具（３１）とを係合させてもよい。
このようにして、被覆布（３３）で第２留め具（３１）を覆うことができるので、ドレスオールの形態で着用されたときに第２留め具（３１）で着用者の肌を傷つけることや、着座時の着用者に不快感を与えることを防止することができる。
【００２４】
尚、図１０に示すように被覆布（３３）を肉厚に形成して、第３留め具（３３１）の頭部を被覆布（３３）内部に収容してもよい。更には、被覆布（３３）内部に綿などのクッション材（３３０）を配して、該クッション材（３３０）で第３留め具（３３１）頭部を覆ってもよい。これにより、第３留め具（３３１）の頭部で、着用者の肌を傷つけることや、着座時の着用者に不快感を与えることを防止することができる。
【産業上の利用可能性】
【００２５】
本発明は、乳幼児用のドレスオール並びにカバーオールに好適に適用可能である。
【図面の簡単な説明】
【００２６】
【図１】本発明に係るマチなしドレスオールを、正面から見た図である。
【図２】図１に示すドレスオールを背面から見た図である。
【図３】カバーオール形状とされた本発明のドレスオールを正面から見た図である。
【図４】前身頃と後身頃との接続部分の縫製を解除した状態を正面から見た図である。
【図５】本発明のドレスオールをカバーオールの形態とした状態を側方から見た図である。
【図６】図１に示すドレスオールを側方から見た図である。
【図７】本発明に係るマチなしドレスオールの他の実施形態を示す図であり、ドレスオールを正面から見た図である。
【図８】本発明に係るマチなしドレスオールの他の実施形態を示す図であり、ドレスオールを背面から見た図である。
【図９】本発明に係るマチなしドレスオールの後身頃下縁の断面図である。
【図１０】本発明に係るマチなしドレスオールの後身頃下縁の断面図である。
【図１１】従来のカバーオールを示す図である。
【図１２】図１１に示すカバーオールを側方から見た図である。
【符号の説明】
【００２７】
１・・・・・マチなしドレスオール
２・・・・・前身頃
２１・・・・第１片
２２・・・・第２片
２３・・・・合せ縁
２３１・・・第１領域
２３２・・・第２領域
２３３・・・第３領域
２４・・・・第１留め具
３・・・・・後身頃
３１・・・・第２留め具
３２・・・・舌布
３３・・・・被覆布
３３０・・・クッション材
３３１・・・第３留め具
５・・・・・弾性体
【図１】
2006193879.tif 000003
【図２】
2006193879.tif 000004
【図３】
2006193879.tif 000005
【図４】
2006193879.tif 000006
【図５】
2006193879.tif 000007
【図６】
2006193879.tif 000008
【図７】
2006193879.tif 000009
【図８】
2006193879.tif 000010
【図９】
2006193879.tif 000011
【図１０】
2006193879.tif 000012
【図１１】
2006193879.tif 000013
【図１２】
2006193879.tif 000014